(57)【要約】【課題】プレートボディからプレートカバーを取り外す際の作業性の向上を図る。【解決手段】プレートカバー３は、配線器具(スイッチ１０)の前面を露出させ、且つプレートボディ２の前面を覆う前壁３０と、前壁３０の周縁から後方へ突出してプレートボディ２の側面を覆う側壁３１とを有する。そして、側壁３１は、前方に向かって外側に傾斜するように構成される。故に、壁面からの突出寸法を同じとしたとき、側壁３１の幅を広くして作業者の指が側壁と当たる面積を増やすことができる。その結果、作業者がプレートカバー３を手前に引っ張ったときに指が側壁３１から外れ難くなるので、プレートボディ２からプレートカバー３を取り外す際の作業性の向上を図ることができる。【選択図】        図１
2015144521.tif 000002
【特許請求の範囲】
【請求項１】
埋込孔に埋め込まれた配線器具の周囲を囲む矩形枠状のプレートボディと、前記プレートボディを覆うように前記プレートボディに着脱可能に取り付けられるプレートカバーとを備え、
前記プレートカバーは、前記配線器具の前面を露出させ、且つ前記プレートボディの前面を覆う前壁と、前記前壁の周縁から後方へ突出して前記プレートボディの側面を覆う側壁とを有し、
前記側壁は、前方に向かって外側に傾斜するように構成されることを特徴とする配線器具用プレート。
【発明の詳細な説明】
【技術分野】
【０００１】
本発明は、壁面等の造営面に設けた埋込孔に配線器具を埋込配設するための配線器具用プレートに関するものである。
【背景技術】
【０００２】
従来例として特許文献１記載の配線器具用プレートを例示する。特許文献１記載の配線器具用プレートは、プレート枠と化粧プレートで構成される。プレート枠は、合成樹脂材料によって矩形枠状に形成され、壁若しくは壁に埋め込まれたスイッチボックスに取り付けられる。プレート枠は、スイッチやコンセントなどの配線器具を保持する保持部を有する。なお、これらの配線器具は、機能面(スイッチの操作面やコンセントの差込口が設けられた面)を前方へ臨ませるようにしてプレート枠の保持部に保持される。
【０００３】
また、化粧プレートは、扁平な矩形箱状に形成され、配線器具の機能面を露出させるための窓孔が中央に設けられている。さらに、化粧プレートは、背面側における四隅から後方へ突出する突片がそれぞれ設けられている。これらの突片は、側方へ突出する爪が先端に形成されている。
【０００４】
そして、プレート枠の四隅に設けられている孔に突片が挿入され、プレート枠の背面側における孔の周縁部分に突片先端の爪が引っ掛かることでプレート枠に対して化粧プレートが固定される。
【０００５】
化粧プレートは、側壁に切欠が設けられている。そして、当該切欠に治具(例えば、マイナスドライバ)が差し込まれて捻られることにより、爪と孔の周縁部分との引っ掛かりが解除されるので、プレート枠から化粧プレートが取り外し可能となる。
【先行技術文献】
【特許文献】
【０００６】
【特許文献１】特開２００４−３２８８８号公報
【発明の概要】
【発明が解決しようとする課題】
【０００７】
ところで、特許文献１記載の従来例では、化粧プレート(プレートカバー)の側壁が壁面に対してほぼ垂直に立ち上がるように構成されている。しかも、壁面からの出っ張りを抑えるために側壁の高さ寸法が小さくされると、側壁に指を掛けることが難しくなる。その結果、従来例は、プレート枠(プレートボディ)から化粧プレート(プレートカバー)を取り外す際の作業性が低下するという問題があった。
【０００８】
本発明は、上記課題に鑑みて為されたものであり、プレートボディからプレートカバーを取り外す際の作業性の向上を図ることを目的とする。
【課題を解決するための手段】
【０００９】
本発明の配線器具用プレートは、埋込孔に埋め込まれた配線器具の周囲を囲む矩形枠状のプレートボディと、前記プレートボディを覆うように前記プレートボディに着脱可能に取り付けられるプレートカバーとを備える。また、前記プレートカバーは、前記配線器具の前面を露出させ、且つ前記プレートボディの前面を覆う前壁と、前記前壁の周縁から後方へ突出して前記プレートボディの側面を覆う側壁とを有する。さらに、前記側壁は、前方に向かって外側に傾斜するように構成される。
【発明の効果】
【００１０】
本発明の配線器具用プレートは上述のように構成されるので、壁面からの突出寸法を同じとしたとき、側壁の幅を広くして作業者の指が側壁と当たる面積を増やすことができる。その結果、作業者がプレートカバーを手前に引っ張ったときに指が側壁から外れ難くなるので、プレートボディからプレートカバーを取り外す際の作業性の向上を図ることができるという効果がある。
【図面の簡単な説明】
【００１１】
【図１】本発明に係る配線器具用プレートの実施形態を示し、取付枠に取り付けられた状態の側面図である。
【図２】同上の分解斜視図である。
【図３】同上の側面図である。
【図４】同上におけるプレートボディの平面図である。
【図５】同上におけるプレートカバーの背面図である。
【図６】同上を示し、取付枠に取り付けられた状態の背面図である。
【発明を実施するための形態】
【００１２】
本発明に係る配線器具用プレートの実施形態について、図面を参照して詳細に説明する。なお、本実施形態では、配線器具としてワイドハンドル形のスイッチ(いわゆるピアノハンドル式スイッチ)を例示するが、埋込型の配線器具であれば、ワイドハンドル形以外のスイッチや、コンセントなどのスイッチ以外の配線器具であっても構わない。ただし、以下の説明では、特に断りの無い限り、図２において上下左右前後の各方向を規定する。
【００１３】
ピアノハンドル式スイッチ(以下、スイッチと略す。)１０は、スイッチ本体１００とピアノハンドル１０４で構成される。スイッチ本体１００は、矩形箱状の器体１０１と、器体１０１の前面に設けられる押釦ハンドル(図示せず)とを有する。スイッチ本体１００は、押釦ハンドルが押し込まれる毎に、器体１０１内に収納されている接点の状態(例えば、接点を閉じた状態と開いた状態)を切り換えるように構成されている。ただし、このようなスイッチ本体１００は従来周知であるから、詳細な構造の図示及び説明は省略する。
【００１４】
ピアノハンドル１０４は、スイッチ本体１００の前面よりも十分に大きい寸法を有する矩形板状に形成されている。このピアノハンドル１０４は、器体１０１の前面において、短幅方向(左右方向)の一端(左端)で揺動可能に器体１０１に支持される。つまり、ピアノハンドル１０４は、スイッチ本体１００に向かう向き(後向き)の力を受けて回転し、背面に設けられる突起(図示せず)でスイッチ本体１００の押釦ハンドルを押し込むように構成される。
【００１５】
スイッチ１０は、取付枠１１に取り付けられる。取付枠１１は、合成樹脂又は金属板により、器具取付用の窓孔１１０を有した矩形枠状に形成される。取付枠１１は、長手方向(上下方向)に沿った一対の縦片１１１と、一対の縦片１１１の両端同士を連結する一対の横片１１２とを有する。つまり、一対の縦片１１１及び一対の横片１１２に囲まれた空間が窓孔１１０となる。
【００１６】
一対の縦片１１１は、複数(図示例では８個ずつ)の器具取付孔１１３が設けられている。これらの器具取付孔１１３には、器体１０１の長手方向(左右方向)の両側面に突出する各一対の取付爪１０３が挿入される。つまり、一対の取付爪１０３がそれぞれ一対の器具取付孔１１３に挿入されることにより、器体１０１の前端部が窓孔１１０に挿通された状態でスイッチ本体１００が取付枠１１に取り付けられる(図３参照)。
【００１７】
また、一対の横片１１２は、長手方向(左右方向)の中央に、ボックスねじ(図示せず)が挿通されるねじ挿通孔1120が貫通している。さらに、一対の横片１１２は、ねじ挿通孔1120の外側における長手方向の中央にねじ孔1121が設けられている。ただし、一対の横片１１２は、各縦片１１１の長手方向の両端から前方へ突出するように構成されている(図２参照)。
【００１８】
取付枠１１は、例えば、壁に設けられる埋込孔の周辺に一対の横片１１２が当たるようにして、当該壁に埋め込まれたスイッチボックス(図示せず)に取り付けられる。つまり、各横片１１２のねじ挿通孔1120に挿通される２本のボルト(図示せず)が、スイッチボックスのねじ孔にねじ止めされる。ただし、スイッチボックスが埋め込まれていない場合、取付枠１１は、従来周知の挟み金具(図示せず)を用いて壁板に固定される。
【００１９】
本実施形態の配線器具用プレート(以下、プレートと略す。)１は、取付枠１１に取り付けられるプレートボディ２と、プレートボディ２を覆うようにプレートボディ２に着脱可能に取り付けられるプレートカバー３とを備える。
【００２０】
プレートボディ２は、図４に示すように、合成樹脂材料により、一対の縦部２０及び一対の横部２１を有する矩形枠状に形成されている。各縦部２０の長手方向(上下方向)における中央と両端に、それぞれ矩形の取付孔２００が貫通している。また、各横部２１の長手方向(左右方向)における中央に、円形のねじ挿通孔２１０が貫通している。さらに、一方(下方)の横部２１は、下端における左右方向の両端に、前方及び下方に開放された凹部２１１がそれぞれ設けられている。
【００２１】
プレートカバー３は、図５に示すように前壁３０と側壁３１とが合成樹脂成形体として一体に構成されている。前壁３０は、図１及び図２に示すように前後方向から見て四隅が湾曲した長方形状であり、且つ周縁から中央に向かって前方へ膨らむ曲面形状に形成されている。また、前壁３０の中央には、矩形の窓３００が貫通している。さらに、前壁３０の背面には、複数の引掛部３０１が、左右方向の両端に、上下方向に等間隔に並べて３つずつ設けられている。なお、これらの引掛部３０１は、先端(後端)が鈎形に形成されている。
【００２２】
側壁３１は、前端が前壁３０の周縁に連結された環状に形成されている。また、側壁３１は、前方に向かって外側に傾斜するように構成される(図１参照)。
【００２３】
次に、本実施形態のプレート１を取付枠１１に取り付ける手順を説明する。まず、プレートボディ２が取付枠１１に取り付けられる。すなわち、プレートボディ２は、一対の横部２１が取付枠１１の一対の横片１１２に前方から被せられ、各横部２１のねじ挿通孔２１０に挿通されるねじ(図示せず)が各横片１１２のねじ孔1121にねじ込まれることで取付枠１１に固定される。
【００２４】
続いて、プレートボディ２にプレートカバー３が取り付けられる。すなわち、プレートカバー３は、前方からプレートボディ２に被せられ、各引掛部３０１がプレートボディ２の各取付孔２００に各別に挿通される。そして、各引掛部３０１の鈎形の先端が取付孔２００の周辺に引っ掛かることにより、プレートカバー３がプレートボディ２に取り付けられる(図６参照)。そして、プレートカバー３は、窓３００に挿通されるピアノハンドル１０４を除いて、スイッチ１０及び取付枠１１、プレートボディ２、埋込孔を前方から覆い隠す。なお、ピアノハンドル１０４は、プレートカバー３の窓３００を通して前方から操作可能である。
【００２５】
また、プレートカバー３の側壁３１には、プレートボディ２の凹部２１１と対向する位置にそれぞれ切欠３１０が設けられている(図５参照)。つまり、これらの切欠３１０に工具(例えば、マイナスドライバ)が挿入されて抉られると、下端の引掛部３０１が取付孔２００から外れる。そして、その状態からプレートカバー３が前方へ引っ張られれば、上端及び中央の引掛部３０１も取付孔２００から外れるので、プレートボディ２からプレートカバー３を取り外すことができる。
【００２６】
ここで、作業者は、通常、片方の手の親指と人差し指(又は中指)を側壁３１に当ててプレートカバー３を掴み、手前(前方)に引っ張ることでプレートカバー３をプレートボディ２から取り外すと考えられる。このとき、側壁３１の幅(前後方向の長さ)が狭い(短い)と、作業者がプレートカバー３を手前に引っ張ったときに指が側壁３１から外れてしまう虞がある。
【００２７】
これに対して本実施形態では、側壁３１が前方に向かって外側に傾斜するように構成されているので、壁面からの突出寸法を同じとしたとき、側壁３１の幅を広くすることができる。その結果、作業者の指が側壁３１と当たる面積が増えるため、作業者がプレートカバー３を手前に引っ張ったときに指が側壁３１から外れ難くなる。また、側壁３１における前壁３０との連結部分の角が鋭角になるので(図１参照)、当該角に引っ掛かることで指が側壁３１から外れ難い。
【００２８】
ここで、本実施形態で例示した取付枠１１は、一対の横片１１２が各縦片１１１の長手方向の両端から前方へ突出するように構成されている。つまり、横片１１２の背面が壁面に当たるから、横片１１２が前方へ突出してない場合に比べて、スイッチ１０が埋込孔の奥(後方)に配置される。その結果、本実施形態のプレート１は、従来例(横片が前方へ突出してないもの)と比較して、前後方向の長さ(厚み)が小さくなって薄型化されている。
【００２９】
而して、本実施形態のプレート１は、薄型化の影響でプレートカバー３の側壁３１の幅が従来例よりも狭くなっているが、上述のように側壁３１を傾斜させることで取り外し作業の作業性低下が抑制されている。
【００３０】
上述のように本実施形態の配線器具用プレート１は、埋込孔に埋め込まれた配線器具(スイッチ１０)の周囲を囲む矩形枠状のプレートボディ２と、プレートボディ２を覆うようにプレートボディ２に着脱可能に取り付けられるプレートカバー３とを備える。プレートカバー３は、配線器具(スイッチ１０)の前面を露出させ、且つプレートボディ２の前面を覆う前壁３０と、前壁３０の周縁から後方へ突出してプレートボディ２の側面を覆う側壁３１とを有する。そして、側壁３１は、前方に向かって外側に傾斜するように構成される。
【００３１】
本実施形態の配線器具用プレート１は上述のように構成されるので、壁面からの突出寸法を同じとしたとき、側壁３１の幅を広くして作業者の指が側壁と当たる面積を増やすことができる。その結果、作業者がプレートカバー３を手前に引っ張ったときに指が側壁３１から外れ難くなるので、プレートボディ２からプレートカバー３を取り外す際の作業性の向上を図ることができる。
【符号の説明】
【００３２】
１  配線器具用プレート
２  プレートボディ
３  プレートカバー
１０  配線器具(スイッチ)
３０  前壁
３１  側壁
【図１】
2015144521.tif 000003
【図２】
2015144521.tif 000004
【図３】
2015144521.tif 000005
【図４】
2015144521.tif 000006
【図５】
2015144521.tif 000007
【図６】
2015144521.tif 000008